(57)【要約】【課題】小型化を図ることが可能なレバー付きコネクタを提供する。【解決手段】レバー３０の操作によるカム作用を利用して嵌合操作力の低減を図る、レバー付きコネクタ１０であって、レバー３０とハウジング１１とには、レバー３０が初期位置から完了位置側へ動く嵌合動作を規制してレバー３０を初期位置に保持する係止構造４０が設けられており、係止構造４０は、カムピン６５とカム溝３４との係合位置に設けられ、互いに係止可能な係止凸部５０と係止凹部６０とを有し、レバー３０が初期位置にあるときには、係止凸部５０と係止凹部６０との係止によりレバー３０の嵌合動作を規制する動作規制状態にあり、相手側コネクタ７０を浅く嵌合すると、係止構造４０の少なくとも一方がカムピン６５に押されて変位することで、レバー３０の嵌合動作を許容する動作許容状態になる。【選択図】図１
2012146520.tif 000002
【特許請求の範囲】
【請求項１】
レバーの操作によるカム作用を利用して嵌合操作力の低減を図る、レバー付きコネクタであって、
相手側コネクタを浅く嵌合し、この相手側コネクタに設けられたカムピンを、前記レバーのカム板部に形成されたカム溝に係合させ、前記レバーを初期位置から完了位置まで動かすことで、前記相手側コネクタが引き寄せられて正規の嵌合状態になるものにおいて、
前記レバーは、ハウジングに取り付けられ、
前記レバーと前記ハウジングとには、前記レバーが前記初期位置から前記完了位置側へ動く嵌合動作を規制して前記レバーを前記初期位置に保持する係止構造が設けられており、
前記係止構造は、前記カムピンの係合位置に設けられ、互いに係止可能な係止凸部と係止凹部とを有し、前記レバーが初期位置にあるときには、前記係止凸部と前記係止凹部との係止により前記レバーの嵌合動作を規制する動作規制状態にあり、前記相手側コネクタを浅く嵌合すると、前記係止構造の少なくとも一方が前記カムピンに押されて変位することで、前記レバーの嵌合動作を許容する動作許容状態になるレバー付きコネクタ。
【請求項２】
前記レバーは、前記カム板部の板面を前記ハウジングに沿わせるようにして取り付けられるものであって、
前記係止凸部は、前記カム板部の板厚方向に突出するものであり、
前記係止凸部と前記係止凹部とは前記カム板部の板面方向に係止するものである請求項１に記載のレバー付きコネクタ。
【請求項３】
前記係止凹部は、前記カム溝に設けられて同カム溝を前記カム板部の板厚方向に貫通し、
前記係止凸部は、前記係止構造が前記動作規制状態にあるときには、その突出端部が前記係止凹部の一方に突出する寸法を有している請求項２に記載のレバー付きコネクタ。
【請求項４】
前記係止凸部の突出端部が前記カムピンに押されて前記係止凹部内に変位することで、前記係止構造は前記動作許容状態になり、前記レバーは、前記係止凸部に当接してこれをさらに前記係止凹部の他方側へ変位させて前記嵌合動作を行うものとされ、
前記係止凸部のうち前記レバーが前記嵌合動作を開始するときに前記係止凹部の内周面と当接する面は、前記突出端部の突出端に向かって、前記係止凹部の内周面から少しずつ離れる向きで傾斜する動作案内面とされている請求項３に記載のレバー付きコネクタ。
【請求項５】
前記係止凸部の突出端部のうち前記カムピンに押される部分は、前記カムピンの押圧方向に向かって少しずつ突出寸法が大きくなる傾斜の嵌合案内面とされている請求項３または請求項４に記載のレバー付きコネクタ。
【請求項６】
前記ハウジングには、複数の端子金具を短絡させるショート端子を収容するショート端子収容室が設けられ、
前記ショート端子収容室は、前記ハウジングのうち前記相手側コネクタとの嵌合面側に寄った位置に設けられ、
前記係止構造は、前記ハウジングのうち前記ショート端子収容室よりも前記嵌合面側とは反対側に寄った位置に設けられている請求項１ないし請求項５のいずれか一項に記載のレバー付きコネクタ。
【請求項７】
前記係止構造は、前記係止凸部が前記カムピンに押されて弾性変位することにより、前記動作規制状態から前記動作許容状態になるものであり、
前記レバーのうち同レバーが前記完了位置にあるときに、前記係止凸部に対応する位置には、前記係止凸部を自然状態で収容可能な収容凹部が設けられている請求項１ないし請求項６のいずれか一項に記載のレバー付きコネクタ。
【請求項８】
前記係止構造は、前記係止凸部が前記カムピンに押されて弾性変位することにより、前記動作規制状態から前記動作許容状態になるものであり、
前記ハウジングには、リテーナが取り付けられるものとされ、
前記係止凸部は、前記ハウジングのうち前記リテーナの装着部位に臨む位置に形成されたスリットにより他の部分から切り離されてなる弾性片を有する請求項１ないし請求項７のいずれか一項に記載のレバー付きコネクタ。
【発明の詳細な説明】
【技術分野】
【０００１】
本発明は、レバー付きコネクタに関する。
【背景技術】
【０００２】
従来より、レバー操作によるカム作用を利用して嵌合操作力の低減を図る、レバー付きコネクタが知られている。レバーの本体（カム板部）には、相手側コネクタに設けられたカムピンが係合するカム溝が形成され、相手側コネクタを浅く嵌合してカムピンとカム溝とを係合させ、レバーを初期位置から完了位置まで動かすことで、相手側コネクタが引き寄せられて正規の嵌合状態になる。レバー付きコネクタには、レバーを初期位置に保持するための係止構造が設けられている。この係止構造により、相手側コネクタとの嵌合前には、レバーは完了位置側への動きが規制され、相手側コネクタを浅く嵌合すると、その規制が解除されるようになっている。
【０００３】
例えば特許文献１に記載のレバー付きコネクタにおいては、係止構造は、レバーに設けられた弾性接触片と、ハウジングに設けられたロック用受け部とからなる。弾性接触片は、レバーのカム板部の外周に、片持ち状に延びる形態で形成され、その自由端部がロック用受け部に係止し、これによりレバーが初期位置に保持される。相手側コネクタには、弾性接触片とロック用受け部との係止を解除するためのリブが設けられ、相手側コネクタを浅く嵌合すると、リブが弾性接触片を撓み変形させ、ロック用受け部との係止を解除する。
【先行技術文献】
【特許文献】
【０００４】
【特許文献１】特開２００３−２４９３０３号公報
【発明の概要】
【発明が解決しようとする課題】
【０００５】
ところが、上記のように、弾性接触片をカム板部の外周に設ける構成では、カム板部の大きさを、弾性接触片を設けるだけの余地を有するものにしなければならず、レバーを小さくすることが難しかった。これでは、コネクタの小型化を図る上で不利であり、対策が望まれていた。
【０００６】
本発明は上記のような事情に基づいて完成されたものであって、小型化を図ることが可能なレバー付きコネクタを提供することを目的とする。
【課題を解決するための手段】
【０００７】
本発明は、レバーの操作によるカム作用を利用して嵌合操作力の低減を図る、レバー付きコネクタであって、相手側コネクタを浅く嵌合し、この相手側コネクタに設けられたカムピンを、前記レバーのカム板部に形成されたカム溝に係合させ、前記レバーを初期位置から完了位置まで動かすことで、前記相手側コネクタが引き寄せられて正規の嵌合状態になるものにおいて、前記レバーは、ハウジングに取り付けられ、前記レバーと前記ハウジングとには、前記レバーが前記初期位置から前記完了位置側へ動く嵌合動作を規制して前記レバーを前記初期位置に保持する係止構造が設けられており、前記係止構造は、前記カムピンの係合位置に設けられ、互いに係止可能な係止凸部と係止凹部とを有し、前記レバーが初期位置にあるときには、前記係止凸部と前記係止凹部との係止により前記レバーの嵌合動作を規制する動作規制状態にあり、前記相手側コネクタを浅く嵌合すると、前記係止構造の少なくとも一方が前記カムピンに押されて変位することで、前記レバーの嵌合動作を許容する動作許容状態になるものである。ここで、レバーのうちカムピンの係合位置にあたる部分は、レバー付きコネクタとしての機能を確保するために必須の部分である。このような部分に係止構造を設ければ、レバーの大きさを、従来のように係止構造を設けるだけの余地を有するものにしなくてもよい。したがって、レバーを小さくすることができるから、コネクタの小型化を図ることができる。
なお、係止構造は、相手側コネクタに設けられたカムピンに押されることで、動作規制状態から動作許容状態になるから、従来のように相手側コネクタに係止解除用のリブ等を設けなくてもよく、相手側コネクタの小型化を図ることができる。
【０００８】
また、前記レバーは、前記カム板部の板面を前記ハウジングに沿わせるようにして取り付けられるものであって、前記係止凸部は、前記カム板部の板厚方向に突出するものであり、前記係止凸部と前記係止凹部とは前記カム板部の板面方向に係止するものとしてもよい。このような構成によれば、係止凸部と係止凹部との係止により、レバーは、カム板部の板面に沿う方向の変位が規制される。これにより、初期位置に保持されたレバーがカム板部の板面方向に沿って位置ずれし、ハウジングから離脱することを防ぐことができるから、レバーをハウジングから抜け止めするための抜止構造を別途設ける必要がない。
【０００９】
また、前記係止凹部は、前記カム溝に設けられて同カム溝を前記カム板部の板厚方向に貫通し、前記係止凸部は、前記係止構造が前記動作規制状態にあるときには、その突出端部が前記係止凹部の一方に突出する寸法を有しているものとしてもよい。このような構成によれば、係止凸部と係止凹部との係止力が強いから、確実にレバーを初期位置に保持することができる。
【００１０】
また、前記係止凸部の突出端部が前記カムピンに押されて前記係止凹部内に変位することで、前記係止構造は前記動作許容状態になり、前記レバーは、前記係止凸部に当接してこれをさらに前記係止凹部の他方側へ変位させて前記嵌合動作を行うものとされ、前記係止凸部のうち前記レバーが前記嵌合動作を開始するときに前記係止凹部の内周面と当接する面は、前記突出端部の突出端に向かって、前記係止凹部の内周面から少しずつ離れる向きで傾斜する動作案内面とされているものとしてもよい。このような構成によれば、レバーの嵌合動作を開始する際、カム板部が動作案内面の傾斜に案内されて容易に係止凸部に乗り上がる、すなわち容易に係止凸部を係止凹部の他方側へ変位させることができるから、レバーをスムーズに動かすことができる。
【００１１】
また、前記係止凸部の突出端部のうち前記カムピンに押される部分は、前記カムピンの押圧方向に向かって少しずつ突出寸法が大きくなる傾斜の嵌合案内面とされているものとしてもよい。このような構成によれば、嵌合案内面の傾斜に案内されて、カムピンが係止凸部に容易に乗り上がるので、相手側コネクタをスムーズに嵌合することができる。
【００１２】
また、前記ハウジングには、複数の端子金具を短絡させるショート端子を収容するショート端子収容室が設けられ、前記ショート端子収容室は、前記ハウジングのうち前記相手側コネクタとの嵌合面側に寄った位置に設けられ、前記係止構造は、前記ハウジングのうち前記ショート端子収容室よりも前記嵌合面側とは反対側に寄った位置に設けられているものとしてもよい。このような構成によれば、ショート端子収容室の後側の空きスペースを利用することができるから、コネクタをより小型化することができる。
【００１３】
また、前記係止構造は、前記係止凸部が前記カムピンに押されて弾性変位することにより、前記動作規制状態から前記動作許容状態になるものであり、前記レバーのうち同レバーが前記完了位置にあるときに、前記係止凸部に対応する位置には、前記係止凸部を自然状態で収容可能な収容凹部が設けられているものとしてもよい。このような構成によれば、レバーが完了位置にあるときには、係止凸部が自然状態で収容凹部内に納まるから、係止凸部が弾性変形したままに留め置かることを防ぐことができる。
また、前記係止構造は、前記係止凸部が前記カムピンに押されて弾性変位することにより、前記動作規制状態から前記動作許容状態になるものであり、前記ハウジングには、リテーナが取り付けられるものとされ、前記係止凸部は、前記ハウジングのうち前記リテーナの装着部位に臨む位置に形成されたスリットにより他の部分から切り離されてなる弾性片を有するものとしてもよい。
【発明の効果】
【００１４】
本発明によれば、小型化を図ることが可能なレバー付きコネクタを提供することができる。
【図面の簡単な説明】
【００１５】
【図１】本実施形態におけるコネクタであって、レバーが初期位置に保持された状態を示す上面図
【図２】コネクタの断面図であって、図１のＡ−Ａ位置における断面に相当する断面図
【図３】レバーが初期位置に保持された状態のコネクタの正面図
【図４】コネクタの断面図であって、図３のＢ−Ｂ位置における断面に相当する断面図
【図５】レバーが完了位置に保持された状態のコネクタの上面図
【図６】レバーが完了位置に保持された状態のコネクタの正面図
【図７】コネクタの断面図であって、図６のＣ−Ｃ位置における断面に相当する断面図
【図８】レバーおよびリテーナが取り外された状態の雌側ハウジングの上面図
【図９】レバーおよびリテーナが取り外された状態の雌側ハウジングの正面図
【図１０】雌側ハウジングの断面図であって、図９のＤ−Ｄ位置における断面に相当する断面図
【図１１】レバーの斜視図
【図１２】レバーの上面図
【図１３】レバーの下面図
【図１４】レバーの正面図
【図１５】レバーの側面図
【図１６】基板用コネクタの断面図
【発明を実施するための形態】
【００１６】
＜実施形態＞
以下、本発明を具体化した一実施形態について、図１〜図１６を参照しつつ詳細に説明する。
本実施形態におけるコネクタ１０は、レバー操作によるカム作用を利用して嵌合操作力の低減を図るレバー付きコネクタであって、基板に接続される基板用コネクタ７０（相手側コネクタ）と嵌合し、自動車のエアバッグ回路を構成するものである。このコネクタ１０は、基板用コネクタ７０を浅く嵌合し、この基板用コネクタ７０に設けられたカムピン７５と、レバー３０のカム板部３１に形成されたカム溝３４とを係合させ、レバー３０を初期位置から完了位置まで動かすことで、基板用コネクタ７０が引き寄せられて正規の嵌合状態になるものである。以下、各構成部材において、両コネクタ１０，７０における嵌合面側を前方、その反対側を後方とし、また、図２の上側を上方、下側を下方として説明する。また、レバー３０が初期位置から完了位置側へ向かって動く方向を正方向、完了位置から初期位置側へ向かって動く方向を負方向と称して説明する。
【００１７】
基板用コネクタ７０は、いわゆる雄型のコネクタであって、合成樹脂製のハウジング（雄側ハウジング７１と称する）と、雄側ハウジング７１に装着される複数本の端子金具（雄側端子金具７２と称する）とを備えている（図１６参照）。
雄側ハウジング７１は、前面が開口したフード部７３を備え、このフード部７３内にコネクタ１０が嵌合される。雄側ハウジング７１には、Ｌ字形に屈曲された複数の雄側端子金具７２が、その先端部をフード部７３内に突出させた状態で取り付けられている。
【００１８】
また、雄側ハウジング７１には、両コネクタ１０，７０を嵌合する過程で、後述する雌側端子金具の短絡状態を解除する短絡解除部７４が、フード部７３内に突出して設けられている。短絡解除部７４は、雌側ハウジング１１のショート端子収容室１３に対応する位置に設けられている。
フード部７３の上壁には、円柱状をなすカムピン７５が下方に向かって（フード部７３の内部空間に向かって）突出して形成されている。カムピン７５は、フード部７３の前後方向中央よりも前端寄りの位置に設けられている。
【００１９】
コネクタ１０は、いわゆる雌型のコネクタであり、合成樹脂製のハウジング（雌側ハウジング１１と称する）と、複数の端子金具とを備えている。
端子金具には、雄側端子金具７２と接続可能な雌側端子金具（図示せず）と、雌側端子金具を短絡させるショート端子２５とが含まれている。雌側端子金具は、略筒状をなして雄側端子金具７２と接続する本体部と、電線の端末に接続されるバレル部とが前後に繋がった構成のものであり、ショート端子２５は、隣り合う雌側端子金具に接触する一対の弾性接触片２５Ａを備えた構成のものである（図４参照）。なお、ショート端子２５は、雌側端子金具に比して長さ寸法が格段に小さく（半分程度）、その全長は、雌側端子金具の本体部と同等もしくは若干小さい寸法とされている。
【００２０】
両コネクタ１０，７０の嵌合前においては、ショート端子２５の弾性接触片２５Ａが雌側端子金具の本体部に接触して雌側端子金具を短絡させ、両コネクタ１０，７０が正規の嵌合状態に達すると、雄側ハウジング７１の短絡解除部７４がショート端子２５の弾性接触片２５Ａを押し、雌側端子金具から離れさせる。
【００２１】
雌側ハウジング１１は、基板用コネクタ７０のフード部７３に嵌合可能なブロック状をなし、その内部には、後方から端子金具を挿入可能な端子収容室１２，１３が複数室、高さ方向及び幅方向に並んで設けられている。
【００２２】
雌側ハウジング１１の後端部は、他の部分よりも壁厚寸法が大きくされて上方に突出する段部１４とされ、段部１４には、後述するレバー３０を嵌合完了状態にロックするためのロック片１５が設けられている。ロック片１５は、段部１４の幅方向の一端から後方に向かって片持ち状をなして突出し、その上面には、後述するレバー３０に設けられたレバー側突起３６と係合するハウジング側突起１５Ａが設けられている。
【００２３】
雌側ハウジング１１には、雄側ハウジング７１のカムピン７５を受け入れる受入路１６が形成されている。受入路１６は、雌側ハウジング１１の前壁から上壁にわたって開口し、前後方向に直線状に延びている（図１参照）。受入路１６の後端は、雌側ハウジング１１の前後方向の中央よりも後端寄りの位置（段部１４のすぐ手前の位置）に至っている。
【００２４】
端子収容室１２，１３は、雌側端子金具を収容する雌端子収容室１２、およびショート端子を収容するショート端子収容室１３である。ショート端子収容室１３は、雌側ハウジング１１の幅方向の隣に位置するショート端子収容室１３と、高さがずれるように配置され、そのように配置されたショート端子収容室１３の間のスペースを埋めるように、雌端子収容室１２が設けられている（図３参照）。
【００２５】
雌端子収容室１２の下面側には、雌側端子金具の本体部に一次係止する樹脂ランス１７が設けられ、また雌側ハウジング１１には、雌側端子金具に二次係止するリテーナ１８が取り付けられている。雌側端子金具は、これらにより二重に係止されて抜け止めされる。リテーナ１８は、雌側ハウジング１１の下面側に取り付けられ、すべての雌側端子金具の本体部に後方から係止する。リテーナ１８は、雌側ハウジング１１の前後方向の略中央部に取り付けられる。
【００２６】
ショート端子収容室１３は、雌側ハウジング１１の前端部に設けられている。ショート端子収容室１３は、ショート端子２５の大きさにあわせて形成され、その前後方向の寸法は、雌側ハウジング１１の前後方向の寸法の略半分よりも若干小さくされている。
【００２７】
ショート端子収容室１３は、隣り合う２室の雌端子収容室１２にわたる開口幅を有し、その２室の雌端子収容室１２に連通して形成されている。各ショート端子収容室１３には、ショート端子２５の金属ランス２５Ｂが係合可能な係合部１９が設けられている。ショート端子２５は、後述するレバー３０を雌側ハウジング１１に装着する前の段階で、雌側ハウジング１１の後方からショート端子収容室１３に押し込まれる。
【００２８】
雌側ハウジング１１には、レバー３０を収容するレバー収容室２１が設けられている。レバー収容室２１は、端子収容室１２，１３のうち最も上段に設けられたショート端子収容室１３と同じ高さ位置に設けられている。最も上段においては、ショート端子収容室１３は、雌側ハウジング１１の幅方向の両端（前端の両角部）に配置されている。
【００２９】
レバー収容室２１は、雌側ハウジング１１の後側（嵌合面側とは反対側）に寄った位置に設けられ、レバー３０は、雌側ハウジング１１の前後方向の略中央より少し前の位置から後端にわたって配置されている。
【００３０】
レバー収容室２１の底壁２２には、レバー３０の回動動作の中心軸となる支持軸２３が、上方に突出して設けられている（図９参照）。支持軸２３は、雌側ハウジング１１の幅方向の略中央に位置している。
【００３１】
レバー３０は回動式であって、合成樹脂からなり、平板状をなすカム板部３１を備え、全体として水平な板状をなしている。レバー収容室２１に設置されたレバー３０は、レバー収容室２１の底壁２２の上面に沿って配され、雌側ハウジング１１の上壁とレバー収容室２１の底壁２２との間に僅かなクリアランスを持って挟まれた状態になる。また、レバー３０は、その略全体がショート端子２５よりも後方にずれて配され、後述する操作部３５は、雌側ハウジング１１から後方に突出した状態になる。
【００３２】
カム板部３１の下面の略中央には、支持軸２３が嵌合する略円形の軸受孔３２と、カム板部３１の端縁から軸受孔３２に至るまで、支持軸２３の進入を許容する組付溝３３とが凹設されている（図１３参照）。
【００３３】
カム板部３１の上面には、基板用コネクタ７０のカムピン７５が係合するカム溝３４が形成されている。カム溝３４は、カム板部３１の端縁から内方に延びる凹部であり、その底部３４Ａの厚さ寸法は、カム板部３１のうちカム溝３４以外の部分の厚さ寸法の３分の１程度とされている。レバー３０が初期位置にあるときには、カム溝３４の入口３４Ｂが、雌側ハウジング１１の受入路１６の下方に位置し、カム溝３４へのカムピン７５の受け入れが可能となる。なお、カム溝３４は、組付溝３３よりも、負方向側に位置している。
【００３４】
レバー３０には、レバー３０を回動する際に指を当てて操作する操作部３５が設けられている。操作部３５は、カム板部３１との間にロック片１５を挿入可能な開口を有して、カム板部３１から上方に突出する略門型をなしている。
レバー３０には、雌側ハウジング１１の後端縁に当接することで、レバー３０の初期位置から負方向側への回動を規制する回動規制部３９が設けられている。回動規制部３９は、カム板部３１の上面のうち操作部３５と隣接する位置に設けられている。回動規制部３９は、カム板部３１から上方に突出するブロック状をなしている。
【００３５】
レバー３０には、ロック片１５のハウジング側突起１５Ａと係止するレバー側突起３６が設けられている。レバー側突起３６は、操作部３５に形成され、詳しくは、操作部３５のうちカム板部３１と対向する掛渡部３５Ａから下方に突出して形成されている。レバー３０が完了位置に至ったときには、掛渡部３５Ａがロック片１５の上側に位置し、ハウジング側突起１５Ａとレバー側突起３６とが係合することで、レバー３０は負方向への回動を規制される。なお、カム板部３１のうち操作部３５の掛渡部３５Ａと対向する部分には、ロック片１５の弾性撓みを許容するための撓み許容凹部３７が形成されている。
【００３６】
さて、レバー３０と雌側ハウジング１１とには、レバー３０が初期位置から完了位置側へ動く嵌合動作を規制して、レバー３０を初期位置に保持する係止構造４０が設けられている（図１参照）。係止構造４０は、互いに係止可能な係止凸部５０と係止凹部６０とを有し、係止凸部５０は雌側ハウジング１１に設けられ、係止凹部６０はレバー３０に設けられている。
【００３７】
係止構造４０は、雌側ハウジング１１のうちショート端子収容室１３よりも後側（嵌合面側とは反対側）に寄った位置であって、カムピン７５の係合位置に設けられている。
係止構造４０は、レバー３０が初期位置にあるときには、係止凸部５０と係止凹部６０との係止により、レバー３０の嵌合動作を規制する動作規制状態にあり、基板側コネクタ１０を浅く嵌合すると、係止凸部５０がカムピン７５に押されて弾性変位することで、レバー３０の嵌合動作を許容する動作許容状態になる。
【００３８】
係止凹部６０は、カム溝３４の入口３４Ｂに設けられている（図１２参照）。係止凹部６０は長方形状をなし、カム溝３４の底部３４Ａを上下方向（カム板部３１の板厚方向）に貫通している。係止凹部６０は、その対角線のうち一方の対角線が、カム溝３４の延び方向にほぼ一致する向きで形成されている。また、係止凹部６０は、カム溝３４の入口３４Ｂにおいて、その幅方向にほぼ行きわたる大きさをなし、４つの角のうちの１つが、カム溝３４の側縁（組付溝３３に近い側の側縁）に近接する位置にある。
【００３９】
係止凹部６０は、レバー３０が初期位置にあるときには、その長手方向が雌側ハウジング１１の幅方向（カムピン７５の係合方向に対して直角方向）に一致する向きになる。係止凹部６０の内周面のうち、レバー３０が初期位置にあるときに、前側に配される面を前側当接面６１、後側に配される面を後側当接面６２、両側に配される面のうち組付溝３３に近い側の面を負側当接面６３、遠い側の面を正側当接面６４と称する。なお、正側当接面６４は、レバー３０の下面側に向かって若干係止凹部６０内に突出する向きの傾斜をなし、他の面６１，６２，６３は、カム板部３１の板面に垂直をなしている。
【００４０】
係止凸部５０は、レバー収容室２１の底壁２２に設けられている（図１０参照）。係止凸部５０は、前方へ向かって片持ち状に延びる弾性片５１と、その自由端部に設けられて上方（カム板部３１の板厚方向）に突出する係止突起５２とを有している。係止凸部５０は、雌側ハウジング１１の前後方向の略中央位置（リテーナ１８の装着位置の上側）に形成され、底壁２２における受入路１６の真下に位置している。
【００４１】
弾性片５１は、後側端を支点として上下方向に弾性変形可能なものである。弾性片５１は、幅方向の両側および前側に形成されたスリット２４により底壁２２と切り離され、その略全体にわたり幅寸法が一定とされている（図８参照）。弾性片５１は、自然状態では、レバー収容室２１の底壁２２と同じ高さ位置にあり、係止突起５２が押されると下方の撓み許容空間Ｓへ向かって弾性変形する（図１０参照）。係止凸部５０は、上から２段目に設けられたショート端子収容室１３の後側に設けられ、このショート端子収容室１３の後方の空きスペースが、弾性片５１の撓み許容空間Ｓとされている。
【００４２】
係止構造４０は、係止凸部５０の係止突起５２が係止凹部６０に嵌合することで、係止状態になるものである。係止突起５２は、カム溝３４の底部３４Ａの厚さ寸法よりも大きい突出寸法を有し、係止構造４０が動作規制状態にあるときには、係止突起５２の全体の高さの略半分程度がカム溝３４の底部３４Ａから上方（係止凹部６０の一方）へ突出した状態になる（図２参照）。そして、係止突起５２のうち係止構造４０が動作規制状態にあるときにカム溝３４の底部３４Ａよりも上方に突出する部分（突出端部５２Ａ）が、カムピン７５に押されて係止凹部６０内に変位することで、係止構造４０は動作許容状態になる。その後、レバー３０は、係止凹部６０内に変位した係止突起５２の突出端部５２Ａに当接し、これをさらに係止凹部６０の下側（他方側、撓み許容空間Ｓ側）へ変位させて嵌合動作を行うものとされている。
【００４３】
係止突起５２の後側の面は、係止凹部６０の後側当接面６２に当接してレバー３０の前方への位置ずれを規制する前止面５３とされている。前止面５３は、その突出高さの全体が、突出端に向かってわずかに前方に傾斜している。係止構造４０が動作規制状態にあるときには、前止面５３の下側部分が係止凹部６０の後側当接面６２と対向した状態になる。
【００４４】
係止突起５２の前側の面は、係止構造４０が動作規制状態にあるときに、係止凹部６０の前側当接面６１に当接してレバー３０の後方への移動を規制する抜止面５４と、カムピン７５に押されて、カムピン７５の乗り上がり動作を案内する嵌合案内面５５とを有している。嵌合案内面５５は、突出端部５２Ａに形成され、抜止面５４はその下側に形成されている。抜止面５４は、カム板部３１の板面に垂直をなし、嵌合案内面５５は、後方（カムピン７５の押圧方向）に向かって少しずつ突出寸法が大きくなる傾斜、言い換えると、突出端に向かって後方に傾く傾斜をなしている。
【００４５】
係止突起５２の一方の側面（ロック片１５とは反対側の側面）は、係止凹部６０の負側当接面６３に当接してレバー３０の負方向への位置ずれを規制する負側規制面５６とされている（図１参照）。負側規制面５６は、その全体にわたりカム板部３１の板面に垂直をなしている。
【００４６】
係止突起５２の他方の側面（ロック片１５側の側面）は、係止構造４０が動作規制状態にあるときに、係止凹部６０の正側当接面６４に当接して、レバー３０の嵌合動作を規制する正側規制面５７と、係止構造４０が動作許容状態にあるときに係止凹部６０の正側当接面６４に当接してレバー３０の嵌合動作を案内する動作案内面５８とを有している（図６参照）。正側規制面５７と動作案内面５８とは、異なる傾斜をなしている。
【００４７】
正側規制面５７は、係止突起５２の下側の部分に設けられ、係止凹部６０の正側当接面６４と整合する傾斜をなしている。動作案内面５８は、正側規制面５７と反対方向に傾斜し、すなわち突出端部５２Ａの突出端に向かって、正側当接面６４から少しずつ離れる向きで傾斜している。動作案内面５８は、嵌合案内面５５に比して下方に広がって形成され、その下端（正側規制面５７との境界）は、係止構造４０が動作規制状態にあるときに、係止凹部６０の内側に入って正側当接面６４と対向する。正側規制面５７と動作案内面５８との境界の位置は、係止凸部５０の他の部分よりも側方に突出している（図８参照）。
【００４８】
レバー３０の下面には、係止凸部５０を自然状態で収容可能な収容凹部３８が設けられている（図６参照）。収容凹部３８は、カム板部３１のうちレバー３０が完了位置にあるときに、係止凸部５０に対応する位置に設けられている。
【００４９】
収容凹部３８は、図３に示すように、一定の幅寸法を有してカム板部３１の外周に沿って形成され、カム板部３１の外方に開放されている。収容凹部３８の幅寸法は、カム板部３１の係止凹部６０のうち最も内側に位置する角まで（カム板部３１の外縁から係止凹部６０の最内側まで）の幅寸法とほぼ一致する。収容凹部３８をカム板部３１の下面側から見ると略扇型をなし、その長さ寸法（カム板部３１の外周に沿う方向の寸法）は、外縁側が最も大きく内縁側が最も小さくされている。
【００５０】
収容凹部３８のうちカム板部３１の外周に沿う方向の一端側（係止凹部６０に近い側）は、カム板部３１の下面から収容凹部３８の最奥面にかけて少しずつ凹み寸法を大きくするように傾斜する収容誘導部３８Ａとされている。収容誘導部３８Ａのうち奥面側は一定の傾斜で傾き、カム板部３１の下面側は曲面をなしている（図１５参照）。
【００５１】
次に、レバー３０の組み付け方法について説明する。
レバー３０は、レバー収容室２１に対して後方から、カム板部３１の板面をレバー収容室２１の底壁２２に沿わせるようにして収容される。詳しくは、支持軸２３に組付溝３３を整合させつつ、カム板部３１をレバー収容室２１内へ挿入し、支持軸２３と軸受孔３２とを嵌合させた後、レバー３０を初期位置まで回動させて係止構造４０を係止させる。
すると、支持軸２３と軸受孔３２との嵌合により、レバー３０は、カム板部３１の板面方向（水平方向）の位置ずれが規制された状態になる。また、回動規制部３９が雌側ハウジング１１の後端縁に近接して配されることにより、レバー３０は、負方向への位置ずれが規制された状態になる。さらに、係止凸部５０と係止凹部６０とがカム板部３１の板面方向に係止し、詳しくは、係止凹部６０の前側当接面６１が係止凸部５０の抜止面５４と対向し、係止凹部６０の後側当接面６２が係止凸部５０の前止面５３と対向し、係止凹部６０の負側当接面６３が係止凸部５０の負側規制面５６と対向し、係止凹部６０の正側当接面６４が係止凸部５０の正側規制面５７に対向した状態になることにより、レバー３０は、後方、前方、負方向および正方向への位置ずれが規制され、初期位置に保持された状態になる。こうして、レバー３０の雌側ハウジング１１への組み付けが完了する。
【００５２】
次に、両コネクタ１０，７０の嵌合動作について説明する。
まず、コネクタ１０を基板用コネクタ７０のフード部７３内に浅く嵌合する。この際、カムピン７５がカム溝３４の入口３４Ｂに進入して係止凸部５０の嵌合案内面５５に当接し、嵌合案内面５５の傾斜に案内されて係止凸部５０に乗り上がり、係止凸部５０を下方へ押して変位させる。これにより、係止凸部５０の突出端部５２Ａが係止凹部６０内に入って、正側規制面５７が係止凹部６０から下側（他方側）へずれ、係止構造４０は動作許容状態になる。このとき、抜止面５４が下方へずれて嵌合案内面５５が前側当接面６１に対向し、また、前止面５３の上側部分が後側当接面６２に対向することで、互いに対向する両面間の隙間が大きくなる。こうして、レバー３０の回動操作が許容された状態になる。
【００５３】
なお、カムピン７５は、従来よりも前側の位置に設けられているので、カム溝３４の入口３４Ｂが従来よりも後側に位置していても、同等の嵌合量でカムピン７５をカム溝３４に嵌合させることができる。
【００５４】
次いで、レバー３０の操作部３５を押圧してレバー３０を完了位置側へ回動させる。すると、係止凹部６０の正側当接面６４が係止突起５２の動作案内面５８に当接し、この動作案内面５８の傾斜に案内されて係止凸部５０が少しずつ下方に押され、カム板部３１が係止凸部５０の上方に乗り上がっていく。そして、カムピン７５とカム溝３４との係合によるカム作用により両コネクタ１０，７０が互いに引き寄せられ、フード部７３に対する雌側ハウジング１１の嵌合が進む。
【００５５】
この嵌合過程では、各短絡解除部７４が各ショート端子収容室１３内に進入し、各ショート端子２５の弾性接触片２５Ａに当接してこれを上方へ弾性変形させる。これにより、弾性接触片２５Ａが雌側端子金具から離間し、雌側端子金具間の短絡状態が解除される。
【００５６】
やがて、レバー３０が完了位置に接近する（両コネクタ１０，７０が正規の嵌合状態に近づく）と、ハウジング側突起１５Ａとレバー側突起３６とが当接し、ロック片１５が下方に撓み変形する。また、カム板部３１の下面側に弾性変形していた係止凸部５０が、収容凹部３８の収容誘導部３８Ａに至って少しずつ弾性復帰する。
【００５７】
そして、レバー３０が完了位置に至ると同時に、ロック片１５が復帰し、ハウジング側突起１５Ａとレバー側突起３６とが係合して、レバー３０がロックされた状態になり、両コネクタ１０，７０が正規の嵌合状態に保持される。また、係止凸部５０が完全に弾性復帰して自然状態になり、収容凹部３８内に収まった状態になる。
【００５８】
なお、両コネクタ１０，７０を上記の嵌合状態より離脱する場合には、ロック片１５１５を下方に押圧して係止を解除し、そのまま操作部３５を引いて、レバー３０を嵌合動作時とは逆方向（負方向）へ回動させる。この際、係止凸部５０は、収容凹部３８の収容誘導部３８Ａの傾斜に案内されて少しずつ弾性撓みして収容凹部３８から下方へ外れ、カム板部３１が係止凸部５０に乗り上がった状態になる。そして、レバー３０の回動に伴いカムピン７５がカム溝３４を入口３４Ｂ側へ変位して両コネクタ１０，７０が離間されていき、やがてレバー３０が初期位置に至り、カムピン７５がカム溝３４から外れ、両コネクタ１０，７０が離脱される。このとき、係止凸部５０が弾性復帰して係止凹部６０に嵌合し、レバー３０が初期位置に保持された状態になる。
【００５９】
上記のように構成された本実施形態によれば、以下の効果を奏する。
本実施形態のコネクタ１０のレバー３０と雌側ハウジング１１とには、レバー３０を初期位置に保持する係止構造４０が設けられており、係止構造４０は、カムピン７５とカム溝３４との係合位置に設けられ、互いに係止可能な係止凸部５０と係止凹部６０とを有し、レバー３０が初期位置にあるときには、係止凸部５０と係止凹部６０との係止によりレバー３０の嵌合動作を規制する動作規制状態にあり、基板側コネクタ１０を浅く嵌合すると、係止凸部５０がカムピン７５に押されて変位することで、レバー３０の嵌合動作を許容する動作許容状態になるものである。ここで、レバー３０のうちカムピン７５の係合位置にあたる部分は、レバー付きコネクタとしての機能を確保するために必須の部分である。このような部分に係止構造４０を設ければ、レバー３０の大きさを、従来のように係止構造を設けるだけの余地を有するものにしなくてもよい。したがって、レバー３０を小さくすることができるから、コネクタ１０の小型化を図ることができる。
なお、係止構造４０は、基板側コネクタ１０に設けられたカムピン７５に押されることで、動作規制状態から動作許容状態になるから、従来のように相手側コネクタに係止解除用のリブ等を設けなくてもよく、もって基板側コネクタ１０の小型化を図ることができる。
【００６０】
またレバー３０は、カム板部３１の板面を雌側ハウジング１１に沿わせるようにして取り付けられるものであって、係止凸部５０は、カム板部３１の板厚方向に突出するものであり、係止凸部５０と係止凹部６０とはカム板部３１の板面方向に係止するものである。これにより、係止凸部５０と係止凹部６０との係止によって、レバー３０は、カム板部３１の板面に沿う方向の変位が規制される。したがって、初期位置に保持されたレバー３０がカム板部３１の板面方向に沿って位置ずれし、雌側ハウジング１１から離脱することを防ぐことができるから、レバー３０を雌側ハウジング１１から抜け止めするための抜止構造を別途設ける必要がなく、コネクタ１０をさらに小型化することができる。
【００６１】
また、係止凹部６０は、カム溝３４に設けられてカム溝３４の底部３４Ａを上下方向に貫通し、係止凸部５０は、係止構造４０が動作規制状態にあるときには、その突出端部５２Ａが係止凹部６０の上方に突出する寸法を有している。したがって、係止凸部５０と係止凹部６０との係止力が強いから、確実にレバー３０を初期位置に保持することができる。
【００６２】
また、係止凸部５０の突出端部５２Ａがカムピン７５に押されて係止凹部６０内に変位することで、係止構造４０は動作許容状態になり、レバー３０は、係止凸部５０に当接してこれをさらに係止凹部６０の下側へ変位させて嵌合動作を行うものとされ、係止凸部５０のうちレバー３０が嵌合動作を開始するときに係止凹部６０の正側当接面６４と当接する面は、突出端部５２Ａの突出端に向かって、正側当接面６４から少しずつ離れる向きで傾斜する動作案内面５８とされている。これにより、レバー３０の嵌合動作を開始する際、カム板部３１が動作案内面５８の傾斜に案内されて容易に係止凸部５０に乗り上がる、すなわち容易に係止凸部５０を係止凹部６０の下側へ変位させることができるから、レバー３０をスムーズに動かすことができる。
【００６３】
また、係止凸部５０の突出端部５２Ａのうちカムピン７５に押される部分は、カムピン７５の押圧方向に向かって少しずつ突出寸法が大きくなる傾斜の嵌合案内面５５とされている。これにより、嵌合案内面５５の傾斜に案内されて、カムピン７５が係止凸部５０に容易に乗り上がるので、基板側コネクタ１０との初期の嵌合をスムーズに行うことができる。
【００６４】
また、雌側ハウジング１１には、複数の端子金具を短絡させるショート端子２５を収容するショート端子収容室１３が設けられ、ショート端子収容室１３は、雌側ハウジング１１の前側に寄った位置に設けられ、係止構造４０は、雌側ハウジング１１のうちショート端子収容室１３よりも後側に寄った位置に設けられている。これにより、ショート端子収容室１３の後側の空きスペースを利用することができるから、コネクタ１０をより小型化することができる。
【００６５】
また、係止構造４０は、係止凸部５０がカムピン７５に押されて弾性変位することにより、動作規制状態から動作許容状態になるものであり、レバー３０のうち同レバー３０が完了位置にあるときに、係止凸部５０に対応する位置には、係止凸部５０を自然状態で収容可能な収容凹部３８が設けられている。これにより、レバー３０が完了位置にあるときには、係止凸部５０が自然状態で収容凹部３８内に納まるから、係止凸部５０が弾性変形したままに留め置かることを防ぐことができる。
【００６６】
＜他の実施形態＞
本発明は上記記述及び図面によって説明した実施形態に限定されるものではなく、例えば次のような実施形態も本発明の技術的範囲に含まれる。
【００６７】
（１）上記実施形態では、レバー３０は回動式のものであるが、これに限らず、例えばスライド式のもの等であってもよい。
（２）上記実施形態では、ショート端子２５は、両コネクタ１０，７０の嵌合前においては、雌側端子金具に弾性的に接触して雌側端子金具を短絡させ、両コネクタ１０，７０が正規の嵌合状態に達すると、雌側端子金具から離れる端子とされているが、これに限らず、例えば、ショート端子は、一方のコネクタに設けられ、他方のコネクタと嵌合して初めて、この他方のコネクタに備えられた一対の端子を短絡させる端子等であってもよい。
【符号の説明】
【００６８】
１０…コネクタ（レバー付きコネクタ）
１１…雌側ハウジング（ハウジング）
１３…ショート端子収容室
１８…リテーナ
２４…スリット
３０…レバー
３１…カム板部
３４…カム溝
３８…収容凹部
４０…係止構造
５０…係止凸部
５１…弾性片
５２Ａ…突出端部
５５…嵌合案内面
５８…動作案内面
６０…係止凹部
６４…正側当接面（係止凹部の内周面）
７０…基板用コネクタ（相手側コネクタ）
７５…カムピン
【図１】
2012146520.tif 000003
【図２】
2012146520.tif 000004
【図３】
2012146520.tif 000005
【図４】
2012146520.tif 000006
【図５】
2012146520.tif 000007
【図６】
2012146520.tif 000008
【図７】
2012146520.tif 000009
【図８】
2012146520.tif 000010
【図９】
2012146520.tif 000011
【図１０】
2012146520.tif 000012
【図１１】
2012146520.tif 000013
【図１２】
2012146520.tif 000014
【図１３】
2012146520.tif 000015
【図１４】
2012146520.tif 000016
【図１５】
2012146520.tif 000017
【図１６】
2012146520.tif 000018